(57)【特許請求の範囲】
【請求項１】
室内外の壁面に配設され、所定の大きさからなるシート状掲示物に対応する掲示窓を有するハウジングと、
前記ハウジング内のほぼ両端に配設され、前記シート状掲示物を表面に沿わせて保持する透明または半透明なロール状のフィルムを一方側から他方側に巻取って両方向に搬送自在な一対のスプールと、
前記一対のスプールを回転する電動モータと、
前記ハウジング内の前記フィルムの横側に固設された光量変化検出手段と、
前記光量変化検出手段を通って前記フィルムの搬送方向に移動自在に配設され、光を交互に透過及び遮断するセンシング部材と、
一端を前記ハウジング側に固定して、一方のスプールと平行に張架され、第１プーリを介して他端を前記センシング部材に結合された第１線材と、
一端を前記ハウジング側に固定して、他方のスプールと平行に張架され、第２プーリを介して他端を前記センシング部材に結合された第２線材と、
前記光量変化検出手段が前記センシング部材に対して一方向から光を照射し、前記センシング部材を透過する所定の光量変化が検出されたとき、前記電動モータを停止状態とするモータ停止手段とを具備することを特徴とする連続掲示装置。
【請求項２】
前記光量変化検出手段で所定の光量変化が検出されたとき、異常状態の発生を報知する異常報知手段を具備することを特徴とする請求項１に記載の連続掲示装置。
【発明の詳細な説明】
【０００１】
【発明の属する技術分野】
本発明は、例えば、銀行や駅等の建築物の室内外の壁面に配設され、ポスター等の複数のシート状掲示物を順次掲示する連続掲示装置に関するものである。
【０００２】
【従来の技術】
従来、連続掲示装置に関連する先行技術文献としては、特開昭６２−１２４５９０号公報にて開示されたものが知られている。このものには、複数のシート状掲示物（表示体）を順次繰返して掲示する技術が示されている。
【０００３】
【発明が解決しようとする課題】
ところで、上述の連続掲示装置においては、複数のシート状掲示物を順次繰返して掲示する際、シート状掲示物の搬送不良等の異常を直ちに検出することは難しく対処が遅れてしまうという不具合があった。
【０００４】
そこで、この発明はかかる不具合を解決するためになされたもので、簡単な構成でシート状掲示物の搬送不良等の異常を素早く検出することが可能な連続掲示装置の提供を課題としている。
【０００５】
【課題を解決するための手段】
請求項１の連続掲示装置によれば、室内外の壁面に配設されたハウジングは、所定の大きさからなるシート状掲示物に対応する掲示窓を有し、このハウジング内のほぼ両端に配設され電動モータにより回転される一対のスプールは、シート状掲示物を表面に沿わせて保持する透明または半透明なロール状のフィルムを一方側から巻出し他方側に巻取って両方向に搬送自在である。ここで、線材がハウジング内の一対のスプールのうち少なくとも片方のスプール側面のほぼ全幅に渡って所定の距離を隔てて張架されている。この線材には、それら引張り方向と直角方向に所定間隔及び所定幅の縞模様で光を交互に透過／遮断するセンシング部材が結合されている。そして、このセンシング部材はハウジング側に固設された光量変化検出手段との相対位置が保持されている。このため、シート状掲示物がフィルムから外れてしまったり、フィルム自身が切断されたりした際には、線材が引張られセンシング部材と光量変化検出手段との相対位置が変化する。すると、光量変化検出手段にて所定の光量変化が検出され、モータ停止手段にて直ちに電動モータへの供給電力が遮断され電動モータが停止される。
【０００６】
請求項２の連続掲示装置では、モータ停止手段において電動モータが停止状態とされると、異常報知手段で異常状態の発生を報知するものである。
【０００７】
【発明の実施の形態】
以下、本発明を具体的な実施の形態に基づいて説明する。
【０００８】
図１は本発明の一実施の形態にかかる連続掲示装置の全体構成を示す正面図、図２は図１の中央縦断面図である。なお、図１はハウジング１０にヒンジ接続されている正面カバー１１を開けた状態を示すものである。また、図３は本発明の一実施の形態にかかる連続掲示装置で用いられているフォトカプラとセンシングフィルムとの関係を示す斜視図で、図４は本発明の一実施の形態にかかる連続掲示装置の駆動系を示す構成図である。そして、図５は本発明の一実施の形態にかかる連続掲示装置の異常出力検出用のコントロールユニットのブロック回路図である。
【０００９】
図１及び図２において、連続掲示装置１００の外観形状は、正面カバー１１を有して壁面に固定される偏平な直方体形状のハウジング１０からなる。正面カバー１１はハウジング１０にヒンジ接続されている。この正面カバー１１は掲示窓１２を有し、その掲示窓１２には透明アクリル板が嵌込まれている。また、このハウジング１０内には、機構台板１３がヒンジ接続されている。この機構台板１３のほぼ上下両端にはスプール２０，３０が軸支されており、これらスプール２０，３０には上下端の補助ローラ２１，３１を介して半透明なポリエステルフィルムからなるロール状のフィルム４０が巻張されている。なお、スプール２０，３０は後述のように電動モータ７０によってチェーン７１を介して駆動される。
【００１０】
このフィルム４０の表面には、所定の間隔で搬送方向に対して直角方向でほぼ全幅にわたって所定の間隔で複数のホルダ４１が固設されている。隣接するホルダ４１の間隔は、ホルダ４１を介して取付けられるポスター等のシート状掲示物６０の搬送方向の長さによって予め設定され、固設可能なホルダ４１の数は、シート状掲示物６０を伴ったフィルム４０のスプール２０，３０に対する巻取厚みによって物理的に制限される。なお、シート状掲示物６０の搬送方向の両端部には、引張補助部材６１がシート状掲示物６０の表裏に折曲げられて接合されている。
【００１１】
ホルダ４１は、フィルム４０の表面側に複数箇所で鋲止めされた基台４２とその基台４２に対して左右からスライド挿入させて組付けられる押え板４３とその間に配設される複数のスプリング部材５０とからなる。また、ホルダ４１の裏面側には補強シート４０ａが接着にて裏打ちされている。
【００１２】
次に、フィルム４０面上のシート状掲示物６０をハウジング１０の正面カバー１１の掲示窓１２に対して、所定の位置に停止させる構成及びその動作について図１及び図２を参照して説明する。
【００１３】
図１及び図２において、フィルム４０の搬送方向における端面の近傍の表面には、フィルム４０表面に固設されたホルダ４１との位置関係から決まる位置及び巻取順を示すバーコードからなる検出用指標４５が設けられている。この検出用指標４５に対向してハウジング１０の機構台板１３には位置検出器１５が配設されている。また、位置検出器１５はハウジング１０に配設されたコントロールユニット１６と電気的に接続されている。このため、フィルム４０の搬送状態において、位置検出器１５にてフィルム４０の検出用指標４５が読取られ、ハウジング１０にヒンジ接続された正面カバー１１の掲示窓１２に対するシート状掲示物６０の位置とシート状掲示物６０の巻取順とがコントロールユニット１６にて判定される。この判定結果に基づき、コントロールユニット１６は電気的に接続された電動モータ７０を駆動・停止させることができる。また、コントロールユニット１６のプログラム機能を用いることで、例えば、複数のシート状掲示物６０を所定時間ずつ順次掲示させ、所定のシート状掲示物に到達したら電動モータ７０を逆回転に切換えフィルム４０を巻戻すことで繰返し掲示させたりすることができる。
【００１４】
また、図１及び図２に示すように、連続掲示装置１００のハウジング１０内のスプール２０，３０側面には所定の距離を隔ててセンシングワイヤ２２，３２が張架されている。このセンシングワイヤ２２，３２のそれぞれの一端はハウジング１０側に固定され、他端はプーリ２３，３３を介し、図３の斜視図に示すように、ハウジング１０側に固設されたフォトカプラ９０内を通って移動自在に配設されたセンシングフィルム９１と結合されている。
【００１５】
フォトカプラ９０は周知のように、発光素子と受光素子とが１つのパッケージに収められ、発光素子からの光量変化を受光素子から取出せるようにした結合素子であり、その出力信号はコントロールユニット１６に入力される。また、透明なポリエステルフィルムからなるセンシングフィルム９１には、左右端にそれぞれ結合されたナイロン糸からなるセンシングワイヤ２２，３２の引張り方向と直角方向に１ｍｍ間隔、１ｍｍ幅で光を透過／遮断する縞模様が印刷されている。そして、フォトカプラ９０の発光素子から照射される光は、センシングフィルム９１の縞模様の１ｍｍ幅より狭い０．２ｍｍ程度に絞られている。
【００１６】
連続掲示装置１００の駆動系は、図４に示すように、電動モータ７０によって等しい歯数に設定されたスプール２０のチェーンスプロケット２０４及びスプール３０のチェーンスプロケット３０４はチェーン７１を介して等速度で時計方向または反時計方向に同時回転される。したがって、フィルム４０はスプール２０，３０のうちの一方側から巻出され、スプール２０，３０のうちの他方側に巻取られることで上下方向に搬送自在である。
【００１７】
なお、フィルム４０は、ハウジング１０の正面カバー１１の掲示窓１２の周辺で搬送方向両側に取付けられた搬送ガイド部材１８と摺動され、掲示窓１２と所定の間隔が保持されつつ搬送される。
【００１８】
次に、ハウジング１０内にてシート状掲示物６０を裏面側から照明するための構成及びその作用について図２を参照して説明する。
【００１９】
図２において、ハウジング１０内のほぼ中央背面側には大きさの異なる２つの丸形蛍光灯８１ａ，８１ｂが固定され配設されている。これらの丸形蛍光灯８１ａ，８１ｂに対して、縦２面及び横２面の傾斜枠構造からなる反射部材８２の構造体が機構台板１３に固設されている。そして、反射部材８２のフィルム４０の裏面側となる位置には乳白色アクリルからなる拡散板８３が配設されている。このため、丸形蛍光灯８１ａ，８１ｂからの光は直接または反射部材８２で反射されて拡散板８３に到達され、フィルム４０を介してシート状掲示物６０が裏面側からほぼ均一に照明される。
【００２０】
次に、上述の構成による連続掲示装置１００において、シート状掲示物６０のフィルム４０からの外れやフィルム４０自身の切断等の異常の検出について説明する。
【００２１】
図２において、例えば、スプール２０側に巻付けられシート状掲示物６０を表面に沿わせて保持するフィルム４０がスプール３０側に電動モータ７０によって巻取られているとする。
【００２２】
このとき、何らかの原因でフィルム４０に固設されたホルダ４１からシート状掲示物６０が外れてしまったり、フィルム４０自身が損傷して切断されたとする。すると、シート状掲示物６０またはフィルム４０はスプール２０，３０側面に張架されているセンシングワイヤ２２，３２に接触したり、巻付いたりする。この結果、センシングワイヤ２２，３２が引張られることとなり、センシングワイヤ２２，３２と結合されたセンシングフィルム９１とフォトカプラ９０との相対位置がズレることとなる。
【００２３】
したがって、フォトカプラ９０の発光素子から照射される光量が一定であっても受光素子にて受光される光量が大きく変化する。このフォトカプラ９０からの出力信号の大きな変化、即ち、所定の大きさ以上の微分信号がコントロールユニット１６に入力されると、直ちに電動モータ７０への供給電力が遮断され、電動モータ７０が停止状態とされる。そして、コントロールユニット１６に設けられた異常報知ランプ１７が点灯される。
【００２４】
図５に示すように、本実施の形態の異常出力検出用のブロック回路において、フォトカプラ９０で検出した信号ａは微分回路１０１を介して信号ａの変化速度を抽出した信号ｂを得る。このとき、信号ａの変化速度を抽出した信号ｂは、フォトカプラ９０が光を交互に透過／遮断するから、変化速度が正極及び負極の両波信号となる。信号ｂは正極及び負極の信号であるから、それを全波整流回路からなる全波回路１０２を介して片極性のみの信号ｃとし、その片極性のみの信号ｃと所定の閾値Ｔｈとを比較回路１０３で比較して、所定の閾値Ｔｈ以上の信号ｄのとき、それを以て異常出力とし、モータドライバ１０４によって電動モータ７０への供給電力を遮断する。また、必要に応じてランプの点灯或いは点滅またはブザーの鳴動等の警報回路１０５を動作させる。比較回路１０３の閾値Ｔｈはフォトカプラ９０で検出した信号ａが経年変化或いは温度変化によって変化する場合に異常検出を行わないようにしたものである。
【００２５】
このように、本発明の一実施の形態の連続掲示装置１００は、室内外の壁面に配設され、所定の大きさからなるシート状掲示物６０に対応する掲示窓１２を有するハウジング１０と、ハウジング１０内のほぼ両端に配設され、シート状掲示物６０を表面に沿わせて保持する透明または半透明なロール状のフィルム４０を一方側から巻出し他方側に巻取って両方向に搬送自在な一対のスプール２０，３０と、一対のスプール２０，３０を回転する電動モータ７０と、ハウジング１０内の一対のスプール２０，３０側面のほぼ全幅に所定の距離を隔てて張架された線材としてのセンシングワイヤ２２，３２と、センシングワイヤ２２，３２と結合されセンシングワイヤ２２，３２の引張り方向と直角方向に所定間隔及び所定幅の縞模様で光を交互に透過／遮断するセンシング部材としてのセンシングフィルム９１と、ハウジング１０側に配設され、センシングフィルム９１の前記縞模様に対して一方向から前記縞模様の所定幅より狭く絞った光を照射し、センシングフィルム９１を透過する光量の変化を検出する光量変化検出手段としてのフォトカプラ９０と、フォトカプラ９０で所定の光量変化が検出されると電動モータ７０への供給電力を遮断し電動モータ７０を停止状態とするモータドライバ１０４からなるモータ停止手段を有するコントロールユニット１６とを具備するものである。
【００２６】
したがって、室内外の壁面に配設されたハウジング１０は、所定の大きさからなるシート状掲示物６０に対応する掲示窓１２を有し、このハウジング１０内のほぼ両端に配設され電動モータ７０により回転される一対のスプール２０，３０は、シート状掲示物６０を表面に沿わせて保持する透明または半透明なロール状のフィルム４０を一方側から巻出し他方側に巻取って両方向に搬送自在である。ここで、センシングワイヤ２２，３２がハウジング１０内の一対のスプール２０，３０側面のほぼ全幅に渡って所定の距離を隔てて張架されている。このセンシングワイヤ２２，３２には、それら引張り方向と直角方向に所定間隔及び所定幅の縞模様で光を交互に透過／遮断するセンシングフィルム９１が結合されている。そして、このセンシングフィルム９１はハウジング１０側に固設されたフォトカプラ９０との相対位置が保持されている。例えば、シート状掲示物６０がフィルム４０から外れてしまったり、フィルム４０自身が切断されたりすると、センシングワイヤ２２，３２が引張られて変移しセンシングフィルム９１とフォトカプラ９０との相対位置が変化する。すると、フォトカプラ９０にて所定の光量変化が検出され、コントロールユニット１６によって直ちに電動モータ７０への供給電力が遮断される。このような簡単な構成で、シート状掲示物６０の搬送不良やフィルム４０の切断等の異常が素早く検出され、電動モータ７０が直ちに停止状態とされることで異常発生の際の損傷を最小限に抑えることができる。
【００２７】
また、本発明の一実施の形態の連続掲示装置１００は、モータ停止手段としてのコントロールユニット１６で電動モータ７０が停止状態とされると、必要に応じて設けた異常状態の発生を報知する警報回路１０５からなる異常報知手段は、異常報知ランプ１７を点灯するものである。
【００２８】
したがって、シート状掲示物６０がフィルム４０から外れてしまったり、フィルム４０自身が切断したりした際に電動モータ７０が停止状態となると、異常報知ランプ１７が点灯する。このように、異常報知ランプ１７が点灯することでシート状掲示物６０の搬送不良やフィルム４０の切断等の異常の発生を知り、直ちに対応処置を施すことができる。
【００２９】
ところで、上記実施の形態の線材は、ナイロン糸からなるセンシングワイヤ２２，３２としたが、本発明を実施する場合には、これに限定されるものではなく、要はフォトカプラ９０に対するセンシングフィルム９１の相対位置を正常時には保持でき、異常時には素早く変化させることができる材質等であればよい。
【００３０】
また、上記実施の形態の異常報知手段は、異常報知ランプ１７としたが、本発明を実施する場合には、これに限定されるものではなく、ブザー等の異常発生を報知できるものであればよい。
【００３１】
なお、上記実施の形態のセンシングワイヤ２２，３２は、その長さ方向に弾性を有する合成樹脂または金属線等の線材とすることができる。このときの弾性は、使用された線材の長さ及びセンシングフィルム９１によって決定される。
【００３２】
そして、上記実施の形態のハウジング１０内の前記一対のスプール２０，３０のうち少なくとも片方のスプール２０，３０側面のほぼ全幅に所定の距離を隔てて張架された線材とは、前記一対のスプール２０，３０のうち片方のスプール２０または片方のスプール３０、または両方のスプール２０及びスプール３０のほぼ全幅に所定の距離を隔てて配設することを意味し、また、その長さも少なくとも片方のスプール２０，３０の長さのほぼ全幅であればよく、好ましくは、それ以上の長さであればよい。勿論、若干短くてもよい。
【００３３】
【発明の効果】
以上のように、請求項１の連続掲示装置によれば、室内外の壁面に配設されたハウジングは、所定の大きさからなるシート状掲示物に対応する掲示窓を有し、このハウジング内のほぼ両端に配設され電動モータにより回転される一対のスプールは、シート状掲示物を表面に沿わせて保持する透明または半透明なロール状のフィルムを一方側から巻出し他方側に巻取って両方向に搬送自在である。ここで、線材がハウジング内の一対のスプールのうち少なくとも片方のスプール側面のほぼ全幅に渡って所定の距離を隔てて張架されている。この線材には、それら引張り方向と直角方向に所定間隔及び所定幅の縞模様で光を交互に透過／遮断するセンシング部材が結合されている。そして、このセンシング部材はハウジング側に固設された光量変化検出手段との相対位置が保持されている。このため、シート状掲示物がフィルムから外れてしまったり、フィルム自身が切断されたりした際には、線材が引張られセンシング部材と光量変化検出手段との相対位置が変化する。すると、光量変化検出手段にて所定の光量変化が検出され、モータ停止手段にて直ちに電動モータへの供給電力が遮断され電動モータが停止される。これにより、シート状掲示物の搬送不良やフィルムの切断等の異常が素早く検出され、電動モータが直ちに停止状態とされることで異常発生の際の損傷を最小限に抑えることができるという効果がある。
【００３４】
請求項２の連続掲示装置では、モータ停止手段において電動モータが停止状態とされると、異常報知手段で異常状態の発生を報知するものである。これにより、シート状掲示物の搬送不良やフィルムの切断等の異常が生じたときには、直ちに報知されるため素早く対応処置を施すことができるという効果がある。
【図面の簡単な説明】
【図１】  図１は本発明の一実施の形態にかかる連続掲示装置の全体構成を示す正面図である。
【図２】  図２は図１の中央縦断面図である。
【図３】  図３は本発明の一実施の形態にかかる連続掲示装置で用いられているフォトカプラとセンシングフィルムとの関係を示す斜視図である。
【図４】  図４は本発明の一実施の形態にかかる連続掲示装置の駆動系を示す構成図である。
【図５】  図５は本発明の一実施の形態にかかる連続掲示装置の異常出力検出用のコントロールユニットのブロック回路図である。
【符号の説明】
１０        ハウジング
１２        掲示窓
１６        コントロールユニット（モータ停止手段）
１７        異常報知ランプ（異常報知手段）
２０，３０  スプール
２２，３２  センシングワイヤ（線材）
４０        フィルム
６０        シート状掲示物
７０        電動モータ
９０        フォトカプラ（光量変化検出手段）
９１        センシングフィルム（センシング部材）
１００        連続掲示装置
【図１】
0003705642.tif 000002
【図２】
0003705642.tif 000003
【図３】
0003705642.tif 000004
【図４】
0003705642.tif 000005
【図５】
0003705642.tif 000006